(57)【要約】【課題】  ロール状記録媒体のセッティングや交換を簡易に行うことができ、ロール状記録媒体の高精度な記録を維持することができる媒体保持手段及びその媒体保持手段を備えた記録装置と液体噴射装置を提供すること。【解決手段】  媒体保持手段１３２の当接部１３４ｃは、ロール状記録媒体を抜き差しする際の摩擦力を小さくしても、ロール状記録媒体を回転させる際に生じる軸周り方向の力よりも大きい摩擦力を発生する形状に形成されている。これにより、媒体保持手段に嵌め込まれているロール状記録媒体を引き抜くときは容易に行うことができ、また、媒体保持手段に嵌め込まれているロール状記録媒体の回転中に媒体保持手段からロール状記録媒体が抜けたり空転したりする事態を防止することができる。【選択図】      図４
2006205606.tif 000002
【特許請求の範囲】
【請求項１】
ロール状記録媒体の中空軸部の両端部にそれぞれ嵌め込まれて当該内周面と当接する当接部を有し、前記ロール状記録媒体を一体的に回転自在に保持する一対の媒体保持手段であって、
前記当接部は、前記ロール状記録媒体を抜き差しする際の摩擦力を小さくしても、前記ロール状記録媒体を回転させる際に生じる軸周り方向の力よりも大きい摩擦力を発生する形状に形成されていることを特徴とする媒体保持手段。
【請求項２】
前記当接部は、前記ロール状記録媒体を嵌め込む際に生じる円周方向を軸とする回転モーメントに撓み易く、前記ロール状記録媒体を回転させる際に生じる軸周り方向のモーメントに撓み難い形状に形成されていることを特徴とする請求項１に記載の媒体保持手段。
【請求項３】
前記当接部は、軸周りに等間隔で複数形成されていることを特徴とする請求項１又は２に記載の媒体保持手段。
【請求項４】
前記当接部は、軸方向及び軸周り方向に広がる板状であって、端部の一部が固定された片持ち梁状に形成されていることを特徴とする請求項１〜３の何れか一項に記載の媒体保持手段。
【請求項５】
ロール状記録媒体に記録可能な記録装置であって、
請求項１〜４の何れか一項に記載の媒体保持手段を備えたことを特徴とする記録装置。
【請求項６】
被噴射媒体に液体を噴射する液体噴射装置であって、
請求項１〜４の何れか一項に記載の媒体保持手段を備えたことを特徴とする液体噴射装置。
【発明の詳細な説明】
【技術分野】
【０００１】
本発明は、ロール状記録媒体を一体的に回転自在に保持する媒体保持手段及びその媒体保持手段を備えた記録装置と液体噴射装置に関する。
【背景技術】
【０００２】
一般に、従来の記録装置の１つであるインクジェット式プリンタは、記録媒体である例えば記録用のロール紙を供給する給紙部、給紙されたロール紙に情報を記録する記録部、記録されたロール紙を排出する排紙部を備えている。このようなインクジェット式プリンタを使用する場合、ユーザは、ロール紙を給紙部に収納してロール紙の先端部を引き出す。そして、ロール紙の先端部を給紙ガイド上を通し、紙送りローラと従動ローラとの間に挟み込んでインクジェット式プリンタを起動する。すると、インクジェット式プリンタは、紙送りローラを回転させてロール紙をプラテン上に送り出しながら、記録ヘッドのノズルからインク滴を吐出して情報をロール紙上に記録する。そして、排紙ローラを回転させてロール紙を排紙ガイド上を通して用紙受けに排出する。
【０００３】
ここで、ユーザがロール紙を給紙部に収納する場合、通常はスピンドルをロール紙の軸芯の中空軸部に挿入して貫通させ、一対のフランジをスピンドルの両端に嵌め込むとともに軸芯の両端に嵌め込み、スピンドルの両端を給紙部の軸受に懸架する。このとき、フランジとロール紙の軸芯との間に働く嵌め込み力が大き過ぎると、フランジからロール紙の軸芯を抜くときに大きな力が必要となるため、ロール紙のセッティング作業や交換作業の効率が悪化する。一方、フランジとロール紙の軸芯との間に働く嵌め込み力が小さ過ぎると、記録中にロール紙の軸芯がフランジから抜けたり、記録中にロール紙に掛かっているバックテンションに負けてロール紙が空転したりして、記録が不可能となるおそれがある。そこで、このような問題を解消する手段として、フランジとロール紙の軸芯との間に働く嵌め込み力を調節するネジやバネを備えたフランジが提案されている（特許文献１参照）。
【０００４】
【特許文献１】実開昭６０−１２２７３８号公報
【発明の開示】
【発明が解決しようとする課題】
【０００５】
上述した従来のネジやバネを備えたフランジは、ロール紙の軸芯との間に働く嵌め込み力の調節に手間が掛かり、また、重量が嵩んで取り扱いが困難となり、また、コスト面で割高になるという問題がある。
【０００６】
本発明は、上記のような種々の課題に鑑みなされたものであり、その目的は、ロール状記録媒体のセッティングや交換を簡易に行うことができ、ロール状記録媒体の高精度な記録を維持することができる媒体保持手段及びその媒体保持手段を備えた記録装置と液体噴射装置を提供することにある。
【課題を解決するための手段】
【０００７】
上記目的達成のため、本発明の媒体保持手段では、ロール状記録媒体の中空軸部の両端部にそれぞれ嵌め込まれて当該内周面と当接する当接部を有し、前記ロール状記録媒体を一体的に回転自在に保持する一対の媒体保持手段であって、前記当接部は、前記ロール状記録媒体を抜き差しする際の摩擦力を小さくしても、前記ロール状記録媒体を回転させる際に生じる軸周り方向の力よりも大きい摩擦力を発生する形状に形成されていることを特徴としている。これにより、媒体保持手段に嵌め込まれているロール状記録媒体を引き抜くときは容易に行うことができ、また、媒体保持手段に嵌め込まれているロール状記録媒体の回転中に媒体保持手段からロール状記録媒体が抜けたり空転したりする事態を防止することができる。
【０００８】
また、前記当接部は、前記ロール状記録媒体を嵌め込む際に生じる円周方向を軸とする回転モーメントに撓み易く、前記ロール状記録媒体を回転させる際に生じる軸周り方向のモーメントに撓み難い形状に形成されていることを特徴としている。これにより、媒体保持手段の当接部とロール状記録媒体の中空軸部の内周面との間に働く摩擦力を、ロール状記録媒体を回転させる際に生じる軸周り方向の力よりも大きくなるように保ったまま、ロール状記録媒体を抜き差しする力は小さく調節することができる。
【０００９】
また、前記当接部は、軸周りに等間隔で複数形成されていることを特徴としている。これにより、媒体保持手段の当接部の当接力をロール状記録媒体の中空軸部の内周面に均等に掛けることができるので、媒体保持手段の軸中心に対するロール状記録媒体の軸中心の偏心を防止することができる。また、前記当接部は、軸方向及び軸周り方向に広がる板状であって、端部の一部が固定された片持ち梁状に形成されていることを特徴としている。これにより、媒体保持手段の当接部はロール状記録媒体を嵌め込む際に生じる円周方向を軸とする回転モーメントに撓み易く、ロール状記録媒体を回転させる際に生じる軸周り方向のモーメントに撓み難くすることができる。
【００１０】
上記目的達成のため、本発明の記録装置では、ロール状記録媒体に記録可能な記録装置であって、上記各媒体保持手段を備えたことを特徴としている。上記目的達成のため、本発明の液体噴射装置では、被噴射媒体に液体を噴射する液体噴射装置であって、上記各媒体保持手段を備えたことを特徴としている。これにより、上記各作用効果を奏する記録装置又は液体噴射装置を提供することができる。
【発明を実施するための最良の形態】
【００１１】
図１は、本発明の一実施の形態に係る記録装置の１つであるインクジェット式プリンタの外観構成の全体を斜め前方から見た斜視図である。このインクジェット式プリンタ１００は、例えばＪＩＳ規格のＡ２判やＵＳ・Ｃ規格の１７インチといった比較的大型のサイズのいわゆるカットされた用紙やロール状の用紙に記録できる卓上型の大型のプリンタであり、全体が幅方向に長く延びる略直方体状のハウジング１０１で覆われている。
【００１２】
このハウジング１０１の上面には、矩形状の窓部１０２が形成されている。この窓部１０２は、透明もしくは半透明の窓カバー１０３によって覆われている。窓カバー１０３は、その上部の回動軸を中心に図示矢印ａ方向に回動可能に取り付けられている。ユーザは、窓カバー１０３を持ち上げて窓部１０２を開放することにより、窓部１０２を通して内部機構のメンテナンス作業等を行うことができる。
【００１３】
ハウジング１０１の前面両側には、複数のインクカートリッジが抜き差しされるカートリッジ収納部１０４がそれぞれ形成されている。各インクカートリッジは、記録用の各色のインクを貯留している。各カートリッジ収納部１０４は、透明もしくは半透明のカートリッジカバー１０５によって覆われている。カートリッジカバー１０５は、その下部の回動軸を中心に図示矢印ｂ方向に回動可能に取り付けられている。ユーザは、カートリッジカバー１０５を軽く押して係止部を外しカートリッジ収納部１０４を開放することにより、インクカートリッジの交換作業等を行うことができる。
【００１４】
ハウジング１０１の前面右側のカートリッジ収納部１０４の上部には、プリンタ動作を指示する操作部１１０が配設されている。操作部１１０は、パワーをオン・オフするパワー系、用紙の頭出し等を操作したりインクのフラッシング等を操作する操作系、画像処理等を行う処理系等のボタン１１１と、状態を表示する液晶パネル１１２等を備えている。ユーザは、液晶パネル１１２を見て確認しながらボタン１１１を操作することができる。
【００１５】
ハウジング１０１の前面右側のカートリッジ収納部１０４の下部には、廃液タンク１２０が抜き差しされるタンク収納部１０６が形成されている。この廃液タンク１２０は、記録ヘッド１６２（図１１参照）のクリーニング処理時やインクカートリッジの交換時に廃棄される廃インクを貯留する。ユーザは、廃液タンク１２０を引き出すことにより、内部に溜まっている廃インクの廃棄作業等を行うことができる。
【００１６】
ハウジング１０１の背面には、本発明の特徴的な部分を含むロール状の用紙を給紙する給紙部１３０が上部後方に突き出るように配設されている。給紙部１３０の内部には、１本のロール状の用紙がセット可能な本発明の特徴的な部分であるロール紙ホルダ（媒体保持手段）１３２（図２等参照）が配設され、給紙部１３０の前面には、跳ね上げ式の開閉可能なロール紙カバー１３１がロール紙ホルダ１３２を覆うように取り付けられている。このロール紙カバー１３１の上面は、カットされた用紙を手差しで給紙案内することが可能な給紙案内面に形成されている。ユーザは、ロール紙カバー１３１を持ち上げて給紙部１３０を開放することにより、ロール状の用紙の取り付け・取り外し作業等を行うことができる。このようなロール紙ホルダ１３２の詳細構造について、図２〜図７を参照して以下説明する。
【００１７】
図２は、上記ロール紙ホルダ１３２にロール状の用紙がセットされた状態を示す斜視図、図３は、そのセット過程を示す斜視図である。このロール紙ホルダ１３２は、１本のロール紙スピンドル１３３と、このロール紙スピンドル１３３の両端に嵌め込まれる一対のロール紙フランジ１３４を備えている。ロール紙スピンドル１３３は、ロール状の用紙Ｒの中空軸部内に挿入されている。ロール紙フランジ１３４は、ロール紙スピンドル１３３が挿入されたロール状の用紙Ｒの中空軸部の両端部にそれぞれ嵌め込まれている。
【００１８】
ユーザは、先ず、図３（Ａ）に示すように、ロール紙スピンドル１３３に嵌入されている一方のロール紙フランジ１３４をロール紙スピンドル１３３の一端から引き抜く。そして、図３（Ｂ）に示すように、ロール紙スピンドル１３３の一端からロール状の用紙Ｒの中空軸部を挿入して貫通させ、ロール紙スピンドル１３３の他端側に嵌入されている他方のロール紙フランジ１３４のボス部１３４ａに嵌め込んでフランジ部１３４ｂに当接させる。次に、図３（Ｃ）に示すように、引き抜いた一方のロール紙フランジ１３４をロール紙スピンドル１３３の一端から嵌入して、ボス部１３４ａをロール状の用紙Ｒの中空軸部に嵌め込んでフランジ部１３４ｂを当接させる。
【００１９】
そして、ロール状の用紙Ｒをロール紙ホルダ１３２と共に抱え上げ、ロール紙スピンドル１３３の両端を給紙部１３０の両端に配設されている図示しない２つのスピンドル受けに懸架する。これにより、ロール状の用紙Ｒをロール紙ホルダ１３２と一体的に回転自在に保持することができる。なお、ロール紙スピンドル１３３の一端には、トルクリミッタ１３３ａが装着されている。これにより、ロール状の用紙Ｒに一定以上のトルクが掛からない限り、ロール状の用紙Ｒは回転しないので、ロール紙の巻きが解けてしまうような事態を防止することができる。
【００２０】
図４は、上記ロール紙フランジ１３４の詳細を示す斜視図である。なお、一対のロール紙フランジ１３４は同一形状であるので、ここでは一方のみを示している。このロール紙フランジ１３４は、フランジ部１３４ｂの一面側にボス部１３４ａが一体的に突出形成された構成となっている。ボス部１３４ａは、中空円筒状に形成されており、外周側にロール状の用紙Ｒの中空軸部の端部が嵌め込まれ、内周側にロール紙スピンドル１３３の端部が嵌め込まれるようになっている。
【００２１】
ボス部１３４ａの外周面には、ロール状の用紙Ｒの中空軸部の端部内への嵌入を案内するとともに、端部を内側から保持する軸方向に延びる複数（この例では４つ）のリブ（当接部）１３４ｃが、軸周り方向に等間隔をあけて一体形成されている。このような構成のロール紙フランジ１３４とすることにより、ボス部１３４ａのリブ１３４ｃとロール状の用紙Ｒの中空軸部との間に働く嵌め込み力を適正値とすることができ、以下で図を参照して説明する。
【００２２】
図５〜図７は、上記リブ１３４ｃの詳細を右方向から見た斜視図、平面図及び左方向から見た斜視図である。このリブ１３４ｃは、ボス部１３４ａの外周面において軸方向及び軸周り方向に広がる略矩形板状の基部１３４ｄと、この基部１３４ｄをボス部１３４ａの外周面から所定間隔で浮かした状態で基部１３４ｄの一端部を固定する固定部１３４ｅを備えた片持ち梁状に形成されている。
【００２３】
すなわち、基部１３４ｄの図示左手前下端の一角部は、ボス部１３４ａの先端側において外周面に対し略垂直に起立する固定部１３４ｅにより一体化されて固定されている。そして、基部１３４ｄの図示右上端の縁部には、ロール状の用紙Ｒの中空軸部の端部内周面を案内するとともに、その端部内周面を保持する案内保持部１３４ｆが外側に突出形成されている。この案内保持部１３４ｆの上面には、傾斜した案内面１３４ｆａと案内面１３４ｆａよりも傾斜が緩やかな保持面１３４ｆｂが形成されている。
【００２４】
このようなリブ１３４ｃは、ロール状の用紙Ｒの中空軸部の端部を案内保持部１３４ｆの上面に沿って嵌め込む際に生じる円周方向を軸とする回転モーメント（図示矢印Ｍａ）に撓み易く、ロール状の用紙Ｒを使用するために回転させる際に生じる軸周り方向のモーメント（図示矢印Ｍｂ）に撓み難い形状に形成されている。このような構造によれば、リブ１３４ｃは、ロール状の用紙Ｒの中空軸部の端部を抜き差しする際の摩擦力は小さく、ロール状の用紙Ｒを回転させる際に生じる軸周り方向の力よりも大きい摩擦力を発生することができる。
【００２５】
つまり、案内保持部１３４ｆの案内面１３４ｆａがロール状の用紙Ｒの中空軸部の端部内周面を案内し、さらにそのときに基部１３４ｄは円周方向を軸とする回転方向に大きく弾性変形するので、ロール状の用紙Ｒの中空軸部の端部に対する嵌め込みのみならず引き抜きも容易となる。そして、案内保持部１３４ｆの保持面１３４ｆｂがロール状の用紙Ｒの中空軸部の端部内周面を保持する際には、基部１３４ｄは軸周り方向には変位し難いので、ロール状の用紙Ｒの中空軸部の端部をしっかりと保持して送り誤差を防止する。
【００２６】
ハウジング１０１の前面中央、すなわち一対のカートリッジ収納部１０４の間には、記録前のカットされた用紙及び記録後のカットされた用紙又はロール状の用紙を積載する給排紙トレイ２００が抜き差しされる給排紙部１４０が形成されている。なお、この給排紙部１４０は、搬送時に折り曲げることが不可能な厚手の用紙を手差しで給紙することが可能なようにも形成されている。
【００２７】
この給排紙部１４０には、給排紙トレイ２００の前部が差し込まれ、給排紙トレイ２００の後部が突き出るようにして固定される。給排紙トレイ２００は、カセット型に形成されており、内部に記録前の給紙されるカットされた用紙が積層収納され、上部に記録後の排紙されるカットされた用紙又はロール状の用紙が積層載置されるようなっている。このような給排紙トレイ２００の詳細構造について、図８〜図１０を参照して以下説明する。
【００２８】
図８は、上記給排紙トレイ２００の外観構成の全体を斜め前方から見た斜視図である。この給排紙トレイ２００は、箱状に形成された給紙トレイ２１０と、この給紙トレイ２１０の上面を覆う蓋状に形成された排紙トレイ２３０を備えている。給排紙トレイ２００は、給排紙方向に伸縮自在に形成されており、不使用のときはコンパクトに格納しておくことができ、また使用のときは種々のサイズのカットされた用紙に対応可能になっている。
【００２９】
図９及び図１０は、給排紙トレイ２００が装着された給排紙部１４０を示す斜視図である。カットされた用紙を積層載置する場合は、図９に示すように、ロール紙案内部２４０は排紙部材２３９ａの上面に格納した状態、すなわち排紙部材２３９ａの上面はフラットな面にする。これにより、排紙ローラ１５５（図１１参照）を通って排紙されるカットされた用紙は、断面がＬ字状に形成された案内部１４５の側面及び底面と排紙部材２３９ａ〜２３９ｄの上面とで形成される排紙受け面上にスムーズに積層載置される。
【００３０】
なお、案内部１４５の底面には、スポンジマット１４５ａが貼着されている。このスポンジマット１４５ａは、１枚目のカットされた用紙を載置した後、２枚目のカットされた用紙が排紙されてきたとき、２枚目のカットされた用紙の先端が１枚目のカットされた用紙を突付いて排紙受け面から突き落としてしまうことを防止するための滑り止めの機能を有している。
【００３１】
一方、ロール状の用紙を積層載置する場合は、図１０に示すように、排紙部材２３９ａの上面に格納されているロール紙案内部２４０の第１の案内板２４１の他長辺側にユーザが指を掛けて後方に向かって旋回させる。すると、第２の案内板２４２が第１の案内板２４１に引っ張られて、長手方向の一端側が持ち上げられ、長手方向の他端側が排紙部材２３９ａの上面に形成されている溝２３９ａａに沿って後方に摺動する。そして、第１の案内板２４１と第２の案内板２４２とがなす角度が鋭角になるまで、第１の案内板２４１を旋回させる。
【００３２】
これにより、第２の案内板２４２は、その長手方向の一端側が案内部の側面の頂部に近接して滑り台状になる。このため、排紙ローラを通って排紙されるロール状の用紙がカールしていても、その先端が案内部側に巻き込まれてしまうことはなく、その先端は滑り台状の第２の案内板２４２上を滑走して排紙部材２３９ａ〜２３９ｄの上面側に導かれる。したがって、ロール状の用紙は、第２の案内板２４２と排紙部材２３９ａ〜２３９ｄの上面とで形成される排紙受け面上にスムーズに積層載置される。
【００３３】
図１１は、図１のインクジェット式プリンタ１００の内部構成の概略を示す断面側面図である。ハウジング１０１内には、給排紙部１４０と、搬送部１５０及び記録部１６０等が配設されている。給排紙部１４０には、カットされた用紙を給紙するためのホッパ１４１、給紙ローラ１４２、分離部材１４３、図示していない紙戻しレバー等が配設されている。
【００３４】
ホッパ１４１は、カットされた用紙が載置可能な平板状に形成されており、一端が給紙ローラ１４２と分離部材１４３の近傍に位置し、他端が装着されている給排紙トレイ２００の給紙トレイ２１０の底面に近接して位置するように配設されている。そして、ホッパ１４１は、一端側の裏面にハウジング１０１の底面に一端が取り付けられた圧縮バネ１４４の他端が取り付けられており、この圧縮バネ１４４の伸縮により他端側を中心に一端側が旋回するように配設されている。
【００３５】
給紙ローラ１４２は、断面の一部が切り欠かれたＤ字状に形成されており、間欠的に回転してホッパ１４１上のカットされた用紙を摩擦搬送するようになっている。分離部材１４３は、上面が粗面に形成されており、給紙ローラ１４２によりカットされた用紙が重送されたときに下層のカットされた用紙を最上層のカットされた用紙から摩擦分離するようになっている。そして、紙戻しレバーが、分離された下層の用紙をホッパ１４１上へ戻すようになっている。
【００３６】
搬送部１５０には、用紙を搬送するためのサブローラ１５１とその従動ローラ１５２ａ、１５２ｂ、１５２ｃ、紙送りローラ１５３とその従動ローラ１５４、排紙ローラ１５５とギザローラ１５６及び用紙を検知する検知センサ１５７ａ、１５７ｂ等が配設されている。サブローラ１５１は、給紙トレイ２１０から給紙されるカットされた用紙を排紙トレイ２３０に排紙するために、カットされた用紙を従動ローラ１５２ａ、１５２ｂ、１５２ｃとともに挟持してＵ字状に反転搬送させるようになっている。また、サブローラ１５１は、給紙部１３０から給紙されるロール状の用紙を排紙トレイ２３０に排紙するために、ロール状の用紙を従動ローラ１５２ｃとともに挟持して搬送させるようになっている。
【００３７】
紙送りローラ１５３は、反転搬送されてきたカットされた用紙もしくは給紙されてくるロール状の用紙を従動ローラ１５４とともに挟持してプラテン１６３へ送り出すようになっている。排紙ローラ１５５は、プラテン１６３を通過してくる用紙をギザローラ１５６とともに挟持して排紙トレイ２３０上へ排紙するようになっている。検知センサ１５７ａは、給紙されてくるカットされた用紙のスキュー取りの際の搬送量を検知するようになっている。検知センサ１５７ｂは、反転搬送されてくるカットされた用紙もしくは搬送されてくるロール状の用紙の頭出しの際の搬送量を検知するようになっている。
【００３８】
記録部１６０には、キャリッジ１６１、記録ヘッド１６２、プラテン１６３等が配設されている。キャリッジ１６１は、図示しないキャリッジベルトに連結されており、図示しないキャリッジ駆動装置によってキャリッジベルトが作動すると、キャリッジベルトの動きに連行され、図示しないガイド軸に案内されて往復移動するようになっている。
【００３９】
記録ヘッド１６２は、例えば２種類のブラックインクを吐出する複数のブラックインク用記録ヘッドと、イエロー、ダークイエロー、シアン、ライトシアン、マゼンタ、ライトマゼンタの６色のインクをそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００４０】
プラテン１６３は、その上面である記録案内面にて、紙送りローラ１５３及び従動ローラ１５４から排紙ローラ１５５及び従動ローラ１５６に向かって搬送される用紙を支持して案内するようになっている。プラテン１６３の記録案内面には、縁無し印刷のときに用紙の側端部から外れたインクを吸収する図示しないインク吸収材が配設されている。これにより、無用なインクを回収することができるので、無用なインクによる用紙の汚染を防止することができる。さらに、用紙をプラテン１６３の記録案内面に吸着する図示しない吸引孔が穿設されている。これにより、記録ヘッド１６２のノズル形成面と用紙の記録面との距離を一定に保つことができるので、高記録精度を維持することができる。
【００４１】
このような構成において、インクジェット式プリンタ１００にてロール状の用紙に記録する場合の動作について説明する。先ず、ユーザは、ロール状の用紙をロール紙ホルダ１３２に装着して給紙部１３０に装填する。そして、ロール状の用紙の先端を引き出して紙送りローラ１５３とその従動ローラ１５４の当接部に突き当てる。そして、ロール状の用紙のスキュー取り及び頭出しを行う。
【００４２】
スキュー取り及び頭出しが完了したロール状の用紙は、図示しない紙送りモータにより駆動されている紙送りローラ１５３とその従動ローラ１５４に挟持されて記録部１６０へ搬送される。搬送されるロール状の用紙は、吸引ポンプによりプラテン１６３上に吸着されて平坦にされ、キャリッジモータとキャリッジベルトにより走査されるキャリッジ１６１に搭載された記録ヘッド１６２により記録される。
【００４３】
このとき、制御部は、例えばイエロー、ライトイエロー、マゼンタ、ライトマゼンタ、シアン、ライトシアン、ブラックの計７色のインクカートリッジから記録ヘッド１６２へ各色インクを供給し、各色インクの吐出タイミング及びキャリッジ１６１や紙送りローラ１５３の駆動を制御して、高精度なインクドット制御、ハーフトーン処理等を実行する。そして、記録が完了したロール状の用紙はカットされ、図示しない紙送りモータにより駆動されている排紙ローラ１５５により給排紙部１４０へ排紙され、給排紙トレイ２００の排紙トレイ２３０上へ積層載置される。
【００４４】
以上のように、本実施形態のロール紙ホルダ１３２によれば、ロール紙フランジ１３４のボス部１３４ａに一体形成されているリブ１３４ｃは、ロール状の用紙を抜き差しする際の摩擦力を小さくしても、ロール状の用紙を回転させる際に生じる軸周り方向の力よりも大きい摩擦力を発生する形状に形成されているので、ロール紙フランジ１３４のボス部１３４ａに嵌め込まれているロール状の用紙を引き抜くときは容易に行うことができ、また、ロール状の用紙の回転中にロール紙フランジ１３４のボス部１３４ａからロール状の用紙が抜けたり空転したりする事態を防止することができる。
【００４５】
また、リブ１３４ｃは、ロール状の用紙を嵌め込む際に生じる円周方向を軸とする回転モーメントに撓み易く、ロール状の用紙を回転させる際に生じる軸周り方向のモーメントに撓み難い形状に形成されているので、リブ１３４ｃの上面とロール状の用紙の中空軸部の内周面との間に働く摩擦力を、ロール状の用紙を回転させる際に生じる軸周り方向の力よりも大きくなるように保ったまま、ロール状の用紙を抜き差しする力は小さく調節することができる。
【００４６】
また、リブ１３４ｃは、軸周りに等間隔で複数形成されているので、リブ１３４ｃの当接力をロール状の用紙の中空軸部の内周面に均等に掛けることができ、ロール紙フランジ１３４の軸中心に対するロール状の用紙の軸中心の偏心を防止することができる。そして、リブ１３４ｃには傾斜した案内面１３４ｆａが形成されているので、ロール状の用紙の中空軸部の内径のばらつきを吸収することができる。さらに、リブ１３４ｃは奥に形成された保持面１３４ｆｂに向かうほど変位し易い構造になっているので、ロール状の用紙の中空軸部の内周面に馴染み易い。
【００４７】
また、リブ１３４ｃは、軸方向及び軸周り方向に広がる板状であって、端部の一部が固定された片持ち梁状に形成されているので、ロール状の用紙を嵌め込む際に生じる円周方向を軸とする回転モーメントに撓み易く、ロール状の用紙を回転させる際に生じる軸周り方向のモーメントに撓み難くすることができる。
【産業上の利用可能性】
【００４８】
媒体保持手段を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４９】
【図１】本発明の一実施の形態に係る記録装置の１つであるインクジェット式プリンタの外観構成の全体を斜め前方から見た斜視図である。
【図２】図１のプリンタのロール紙ホルダにロール状の用紙がセットされた状態を示す斜視図である。
【図３】図２のセット過程を示す斜視図である。
【図４】図２のロール紙ホルダのロール紙フランジの詳細を示す斜視図である。
【図５】図４のロール紙フランジのリブの詳細を右方向から見た斜視図である。平面図及び左方向から見た斜視図である。
【図６】図４のロール紙フランジのリブの詳細の平面図である。
【図７】図４のロール紙フランジのリブの詳細を左方向から見た斜視図である。
【図８】図１のプリンタの給排紙トレイの斜視図である。
【図９】図８の給排紙トレイの使用形態を示す斜視図である。
【図１０】図８の給排紙トレイの別の使用形態を示す斜視図である。
【図１１】図１のプリンタの内部構成の概略を示す断面側面図である。
【符号の説明】
【００５０】
１００  インクジェット式プリンタ、１０１  ハウジング、１０４  カートリッジ収納部、１０５  カートリッジカバー、１１０  操作部、１１１  ボタン、１１２  液晶パネル、１３０  給紙部、１３２  ロール紙ホルダ、１３３  ロール紙スピンドル、１３４  ロール紙フランジ、１３４ａ  ボス部、１３４ｂ  フランジ部、１３４ｃ  リブ、１３４ｄ  基部、１３４ｅ  固定部、１３４ｆ  案内保持部、１３４ｆａ  案内面、１３４ｆｂ  保持面、１４０  給排紙部、１４１  ホッパ、１４２  給紙ローラ、１４３  分離部材、１５０  搬送部、１５１  サブローラ、１５２ａ、１５２ｂ、１５２ｃ  従動ローラ、１５３  紙送りローラ、１５４  従動ローラ、１５５  排紙ローラ、１５６  ギザローラ、１６０  記録部、１６１  キャリッジ、１６２  記録ヘッド、１６３  プラテン、２００  給排紙トレイ、２１０  給紙トレイ、２３０  排紙トレイ
【図１】
2006205606.tif 000003
【図２】
2006205606.tif 000004
【図３】
2006205606.tif 000005
【図４】
2006205606.tif 000006
【図５】
2006205606.tif 000007
【図６】
2006205606.tif 000008
【図７】
2006205606.tif 000009
【図８】
2006205606.tif 000010
【図９】
2006205606.tif 000011
【図１０】
2006205606.tif 000012
【図１１】
2006205606.tif 000013